(57)【要約】【課題】塗布具において、液剤を簡便かつ速やかに塗布すること。【解決手段】容器１１内に液剤Ｌと塗布部材２０を封入する塗布具１０であって、容器１１の折り線上に開封口１８がある該容器１１の折りたたみ状態で、液剤Ｌが含浸した塗布部材２０の両側部を該容器１１に保持し、該塗布部材２０の背面を該容器１１の折りたたみ稜線によりバックアップし、該塗布部材２０の正面を該容器１１の開封口１８から外部に露出可能にするもの。【選択図】  図３
2004154688.tif 000002
【特許請求の範囲】
【請求項１】
容器内に液剤と塗布部材を封入し、該容器を開封可能にする塗布具であって、
容器の折り線上に開封口がある該容器の折りたたみ状態で、液剤が含浸した塗布部材の両側部を該容器に保持し、該塗布部材の背面を該容器の折りたたみ稜線によりバックアップし、該塗布部材の正面を該容器の開封口から外部に露出可能にする塗布具。
【請求項２】
前記容器に易開封部を設けた請求項１に記載の塗布具。
【請求項３】
前記液剤が容器の開封後の時間経過により固化又は膠着する性質を具備するものである請求項１又は２に記載の塗布具。
【発明の詳細な説明】
【０００１】
【発明の属する技術分野】
本発明は洗浄剤、塗料、薬剤、消毒剤、化粧料等の液剤のための塗布具に関する。
【０００２】
【従来の技術】
塗布具として、特許文献１に記載の如く、容器内に液剤を封入するとともに、容器外に塗布部材を設け、該容器を開封可能にするものがある。この塗布具は、塗布部材に覆われている容器のきざみ目を折り線として折りたたむことにて該きざみ目を開封し、この開封口から漏れ出る液剤を塗布部材に浸透させ、この塗布部材により液剤を塗布可能にする。
【０００３】
【特許文献１】
ＵＳＰ４１４０４０９（２欄、図１、図６）
【０００４】
【発明が解決しようとする課題】
▲１▼塗布具の保管段階で、塗布部材が容器外に設けられているから、塗布部材が外界の塵埃等により汚れ易い。
【０００５】
▲２▼塗布具の保管段階で塗布部材が容器外に設けられているから、容器の開封後に液剤が塗布部材に浸透するのに時間を要し、速やかに塗布作業できない。また、塗布部材に液剤の均一な浸透状態を得ることに困難がある。
【０００６】
本発明の課題は、塗布具において、液剤を簡便かつ速やかに塗布することにある。
【０００７】
【課題を解決するための手段】
請求項１の発明は、容器内に液剤と塗布部材を封入し、該容器を開封可能にする塗布具であって、容器の折り線上に開封口がある該容器の折りたたみ状態で、液剤が含浸した塗布部材の両側部を該容器に保持し、該塗布部材の背面を該容器の折りたたみ稜線によりバックアップし、該塗布部材の正面を該容器の開封口から外部に露出可能にするようにしたものである。
【０００８】
【発明の実施の形態】
塗布具１０は、図１に示す如く、容器１１内に洗浄剤等の液剤Ｌと塗布部材２０を封入する。塗布具１０は、容器１１を開封可能にし、液剤Ｌが含浸した塗布部材２０により該液剤Ｌを窓ガラス等の被塗布体Ａに塗布可能にする。
【０００９】
容器１１に封入する液剤Ｌとしては、比較的粘性の低い、展延性に富んだものが好適である。液剤Ｌとして、容器１１の開封後の時間経過により固化又は膠着する性質を具備するものを封入することもできる。
【００１０】
容器１１は、図１に示す如く、プラスチックの平面状（又は立体状でも可）表側シート１２とプラスチックの立体状裏側シート１３をそれらの外縁シール部１４で熱融着（又は接着剤を介しても可）により接着し、液剤Ｌと塗布部材２０のための収容室１５を形成する。表側シート１２と裏側シート１３は、ラミネート紙を立体成形したもの等でも良い。また、表側シート１２と裏側シート１３は、アルミ箔等のガスバリア層を含むプラスチックの積層シートからなるものでも良く、揮発蒸散性の液剤Ｌを封入可能に気密化した収容室１５を形成することもできる。
【００１１】
容器１１は、図１の幅方向における中央部を挟む左右両側部分を互いに線対称形状にし、それらの左右両端部を狭幅状の把持部１１Ａとする。
【００１２】
容器１１は、図１の幅方向における中央部で、表側シート１２の収容室１５を形成している部分よりも外側（外縁シール部１４の中）の一部を、裏側シート１３に接着されない舌片状の易開封操作部１６とし（図１（Ａ））、表側シート１２の収容室１５を形成している部分を易開封操作部１６につながる易開封部１７とする。表側シート１２の易開封操作部１６に加える引裂力により易開封部１７を開封して開封口１８を形成できる（図２）。易開封操作部１６の舌片幅が開封口１８の開口幅となる。
【００１３】
容器１１は、表側シート１２と裏側シート１３のうちの少なくとも表側シート１２を強延伸フィルム層を含むものとし、易開封操作部１６に加える引裂力による引裂進み方向にその延伸方向を設定しておくことにより、易開封部１７を容易に直線状に引き裂きできる。強延伸フィルムとは、一軸延伸等によって一定の方向に引き裂かれるように施したフィルムをいう。
【００１４】
容器１１は、図１の幅方向における中央部で、裏側シート１３の表側シート１２に対する間隔を最小とするように図１の側面視（図１（Ｂ）、（Ｃ）、図１（Ｃ）は図１（Ａ）のＣ−Ｃ線に沿う断面図）で裏側シート１３をへの字状にし、この裏側シート１３のへの字部１３Ａと表側シート１２の易開封部１７を含む中央平面部との間に帯状の塗布部材２０を挟み込み保持している。そして、表側シート１２の易開封部１７を開封して開封口１８を形成したとき、表側シート１２の開封口１８を挟む両側縁部は塗布部材２０の両側部を裏側シート１３との間に挟み込み保持し続ける。塗布部材２０は不織布、可撓性多孔質体等にて構成される。
【００１５】
容器１１は、図１の幅方向における中央部、換言すれば開封口１８の長手方向中心線を折り線として折りたたみ可能にされる。容器１１の折りたたみ状態は、開封口１８を外側にする外向き状態（図３）と、開封口１８を内側にする内向き状態（図４）のいずれをも選択できる。容器１１は、前述の如く、図１の幅方向における中央部を挟む左右両側部分を互いに線対称形状にしているから、外向き折りたたみ状態と内向き折りたたみ状態のいずれにあっても、左右両側部分が合致するように重なり合う（図５）。
【００１６】
これにより、塗布具１０の使用状態では、容器１１を外向き折りたたみ状態する（図３、図５、図６）。このとき、容器１１の折り線上に開封口１８が位置するものになり、液剤Ｌが含浸した塗布部材２０の両側部を該容器１１の表側シート１２の開封口１８を挟む両側縁部と裏側シート１３とで保持し、塗布部材２０の中央部の背面を該容器１１の折りたたみ稜線に合致する裏側シート１３のへの字部１３Ａによりバックアップし、塗布部材２０の中央部の正面を表側シート１２の開封口１８から外部に突き出す如くに露出可能にする。ここで、バックアップとは、裏面から押し当てにより固定することをいう。使用者は、容器１１を外向き折りたたみ状態で把持部１１Ａを把持しながら、塗布部材２０により液剤Ｌを被塗布体Ａに対し塗布できる。使用当初においては、容器１１内の液剤Ｌが予め塗布部材２０に含浸しているし、使用経過時には、容器１１内の液剤Ｌが塗布部材２０に直接的に補給される。
【００１７】
塗布具１０は、容器１１内に液剤Ｌと塗布部材２０を封入し、容器１１を開封した外向き折りたたみ状態で塗布部材２０を容器１１の開封口１８から外部に吐出可能にしたから、以下の作用を有する。
【００１８】
▲１▼塗布具１０の保管段階で、塗布部材２０が液剤Ｌとともに容器１１内に封入されているから、塗布部材２０が外界の塵埃等により汚れない。
【００１９】
▲２▼塗布部材２０に予め液剤Ｌが含浸しているから、塗布具１０の使用段階で、容器１１を開封し、折りたたみ状態とするだけで、液剤Ｌが均一に含浸されている塗布部材２０により、液剤Ｌを簡便かつ速やかに塗布できる。尚、塗布具１０の使用中、容器１１内の液剤Ｌは塗布部材２０に直接的に補給され、塗布部材２０は液剤Ｌを連続的に塗布できる。
【００２０】
▲３▼容器１１の折りたたみ状態で、塗布部材２０は、両側部を容易に保持され、中央部の背面を容器１１の折りたたみ稜線によりバックアップされ、中央部の正面を容器１１の開封口１８から外部に突き出す如くに露出する。従って、使用者は、容器１１を折りたたみ状態で把持しながら、塗布部材２０により液剤Ｌを安定的に塗布できる。
【００２１】
▲４▼容器１１は易開封部１７に加える開封操作により、簡易に開封口１８を形成できる。
【００２２】
▲５▼液剤Ｌが容器１１の開封後の時間経過により固化又は膠着する性質を具備するものであるとき、容器１１の開封口１８や塗布部材２０を外部に対して密封しなくても、周辺汚損の虞なくそのまま廃棄処分でき、使い捨て使用塗布具１０として好適になる。
【００２３】
容器１１は、図１の幅方向における中央部の一方側に、表側シート１２の外縁部に沿う左側半周状係合凸部３１を設けるとともに、他方側に、表側シート１２の外縁部に沿う右側半周状係合凹部３２を設ける。係合凸部３１と係合凹部３２は、容器１１の開封口１８を内側にする内向き折りたたみ状態で相対し、互いに係合して封着する（図４）。表側シート１２の係合凸部３１と係合凹部３２は、容器１１の開封後における、容器１１の開封口１８と塗布部材２０を外部に対して密封する密封手段３０を構成する。
【００２４】
これにより、塗布具１０の一旦使用後の再保管段階や廃棄段階では、容器１１を内向き折りたたみ状態とし（図４、図５、図６）、反復使用塗布具１０又は使い捨て使用塗布具１０として用いることができる。このとき、密封手段３０の係合凸部３１、係合凹部３２は、容器１１の開封口１８と塗布部材２０を内側にする容器１１の内向き折りたたみ状態で、容器１１の開封口１８と塗布部材２０を囲み、かつ互いに相対する部分を封着可能にする。容器１１の開封口１８と塗布部材２０は外部に対して密封される。
【００２５】
塗布具１０は、密封手段３０を備えることにより、以下の作用を有する。
▲１▼塗布具１０の使用に伴う容器１１の開封後に、容器１１の開封口１８と塗布部材２０を外部に対して密封する密封手段３０を有する。従って、塗布具１０の使用後の再保管段階や廃棄段階で、容器１１の開封口１８と塗布部材２０が外部に対して剥き出しにならず、塗布部材２０の付着液剤が手や衣類を汚す等がないし、容器１１内の残液が外部ににおったり、液漏れする虞がない。
【００２６】
▲２▼密封手段３０が、容器１１の内向き折りたたみ状態で、容器１１の開封口１８と塗布部材２０を囲み、かつ相対する係合凸部３１と係合凹部３２を互いに係合して封着可能にするものであるから、容器１１そのものにより容器１１の開封口１８と塗布部材２０を外部に対して密封でき、構成簡素にできる。
【００２７】
▲３▼容器１１そのものを単に外向き折りたたみ状態と内向き折りたたみ状態のいずれかに折りたたむだけの選択操作により、塗布部材２０を容器１１の開封口１８から露出させる使用状態にしたり、又は容器１１の開封口１８と塗布部材２０を外部に対して密封状態にすることができ、塗布具１０の使い勝手が良い。
【００２８】
▲４▼上述▲１▼〜▲３▼により、使用後の塗布具１０に使い残しの液剤Ｌがある場合に、塗布具１０を、簡易に再保管して反復使用できるし、又は簡易に廃棄して使い捨て使用できる。
【００２９】
塗布具１０の容器１１は、プラスチックフィルムの真空成形、又はラミネート紙のプレス成形、プラスチックの射出成形等、各種成形方法により形成できる。
【００３０】
容器１１の開封口１８は、容器１１の構成シートの一部に設けた易開封部１７により形成するものに限らず、容器１１の構成シートに予め開封口を切り欠いておき、この開封口の周囲に封着した封止フィルムを剥離することにて形成するものでも良い。
【００３１】
尚、容器１１の折りたたみ稜線によりバックアップされる塗布部材２０の背面側位置は、中央部でなくても良く、塗布部材２０の正面を容器１１の開封口１８から外部に露出する位置に対応する塗布部材２０の背面側位置であれば良い。
【００３２】
【発明の効果】
本発明によれば、塗布具において、液剤を簡便かつ速やかに塗布することができる。
【図面の簡単な説明】
【図１】図１は塗布具を示す模式図である。
【図２】図２は塗布具の容器の開封状態を示す模式図である。
【図３】図３は塗布具の使用状態を示す模式図である。
【図４】図４は塗布具の再保管又は廃棄状態を示す模式図である。
【図５】図５は塗布具の折りたたみ形態を示す模式図である。
【図６】図６は塗布具の折りたたみ構造を示す模式図である。
【符号の説明】
１０  塗布具
１１  容器
１７  易開封部
１８  開封口
２０  塗布部材
【図１】
2004154688.tif 000003
【図２】
2004154688.tif 000004
【図３】
2004154688.tif 000005
【図４】
2004154688.tif 000006
【図５】
2004154688.tif 000007
【図６】
2004154688.tif 000008